(57)【要約】      （修正有）【課題】携帯型ゲーム機の特定のゲームに対して開発された専属のコントローラーであり、且つ機械制御方式（例えば線伝動、歯車、カム、斜面、てこ、液圧又は気圧力等）を利用し、使用者がコントローラーを操作することで間接的に携帯型ゲーム機の各種の機能をコントロールできるようにする。【解決手段】舵取り盤アセンブリ、ベースアセンブリ、支持アセンブリ、及び舵取り盤台座アセンブリが結合されてなり、特にベースアセンブリの収容ケース内に携帯型ゲーム機が収容され、これにより携帯型ゲーム機挿入後にコントローラーと一体に結合され、使用者がコントローラーにより舵取り盤を回すか機能キー操作を行う時に、携帯型ゲーム機の機能キーが駆動されて間接的に携帯型ゲーム機を制御する目的を達成する。【選択図】図１
0003113645.tif 000002
【実用新案登録請求の範囲】
【請求項１】
携帯型ゲーム機のコントローラーにおいて、
舵取り盤回転制御主体を具えた組合せ機構である舵取り盤アセンブリと、
携帯型ゲーム機の放置エリアを提供すると共に、最終的に携帯型ゲーム機の機能キーに伝動するベースアセンブリと、
該ベースアセンブリを舵取り盤アセンブリに架設する支持フレームアセンブリと、
舵取り盤の回転機構の支持固定と本体を卓上或いは支持体に架設する舵取り盤台座アセンブリと、
を包含し、携帯型ゲーム機が着脱自在にベースアセンブリ内に取り付けられ、機械制御方式の線伝動機構の作用を利用し、使用者がコントローラー上の舵取り盤を操作することで間接的に携帯型ゲーム機の各種機能を制御できることを特徴とする、携帯型ゲーム機のコントローラー。
【請求項２】
請求項１記載の携帯型ゲーム機のコントローラーにおいて、機械制御方式の線伝動機構が舵取り盤アセンブリとベースアセンブリの間に設置され、各梃子機構で牽引する各伝動線セットを具え、舵取り盤アセンブリの各機能が携帯型ゲーム機の各機能キーに対応させられたことを特徴とする、携帯型ゲーム機のコントローラー。
【請求項３】
請求項２記載の携帯型ゲーム機のコントローラーにおいて、機械制御方式の線伝動機構は歯車伝動機構或いはカム伝動機構或いは斜面、或いは梃子或いは気圧力、液圧力を利用した伝動機構に交換可能であることを特徴とする、携帯型ゲーム機のコントローラー。
【請求項４】
請求項１記載の携帯型ゲーム機のコントローラーにおいて、舵取り盤アセンブリが舵取り盤本体機構、機能キー機構、線伝動機構、回転機構を包含したことを特徴とする、携帯型ゲーム機のコントローラー。
【請求項５】
請求項１記載の携帯型ゲーム機のコントローラーにおいて、ベースアセンブリが更にディスプレイカバー、カバー開閉機構及び収容ケース機構を具え、且つディスプレイカバーが中空表面を具えて携帯型ゲーム機のディスプレイを直視できるものとされたことを特徴とする、携帯型ゲーム機のコントローラー。
【請求項６】
請求項１記載の携帯型ゲーム機のコントローラーにおいて、舵取り盤台座アセンブリは台座ケース、回転機構支持体、台座固定機構を具え、台座固定機構がゴム吸盤と調整式開口クランプを並行使用し、異なる厚さの物品と自由に噛み合い、強固な固定を達成することを特徴とする、携帯型ゲーム機のコントローラー。
【考案の詳細な説明】
【技術分野】
【０００１】
本考案は一種のゲーム機に適用されるコントローラーであって、特に、携帯型ゲーム機に結合され並びに間接的に携帯型ゲーム機をコントロールできるコントローラーに関する。
【背景技術】
【０００２】
デジタルコンテンツ産業は既に最も発展の潜在力を有する産業の一つであると認められており、そのうち、３Ｄ動画は最も魅力ある領域である。データによると、日本の電動ゲーム機とゲームソフトの毎年の総生産額は数百米ドルに及び、テレビゲーム機市場は世界のトップを走っている。このため、電動ゲーム機例えば携帯型ゲーム機のプレイステーション（登録商標）ポータブルは市場で勢力を有し、多くの人が購入しており、各種の関係する周辺アクセサリ、例えばディスプレイ保護シール、保護ケース、リュック、専用キーボード、専用充電器等が発売されてビジネスチャンスを狙っている。
【０００３】
しかし、大多数のゲーム機メーカーは、家庭用ゲーム機を販売する時、コスト及びその他の因子を考慮し、通常はゲーム機にユニバーサルタイプのジョイスティックコントローラーを付属させ、ゲーム用の特定タイプの舵取り盤コントローラーを付属させることはない。ユニバーサルタイプのジョイスティックコントローラーは、カーレースのようなゲームの操作はできるものの、操作時に操作者をいらつかせることがあり、またリアリティーに欠け、その操作は運転時に舵取り盤を運転する感覚とはかけ離れている。ゆえに多くの使用者は別に特定のタイプの舵取り盤コントローラーを購入することでカーレースゲームの臨場感を楽しんでいる。
【考案の開示】
【考案が解決しようとする課題】
【０００４】
本考案は従来の技術の欠点を鑑み、一種の携帯型ゲーム機のコントローラーを提供するものであり、それは携帯型ゲーム機の特定のゲームに対して開発された専属のコントローラーであり、且つ機械制御方式（例えば線伝動、歯車、カム、斜面、てこ、液圧又は気圧力等）を利用し、使用者がコントローラーを操作することで間接的に携帯型ゲーム機の各種の機能をコントロールできるものとされる。
【課題を解決するための手段】
【０００５】
請求項１の考案は、携帯型ゲーム機のコントローラーにおいて、
舵取り盤回転制御主体を具えた組合せ機構である舵取り盤アセンブリと、
携帯型ゲーム機の放置エリアを提供すると共に、最終的に携帯型ゲーム機の機能キーに伝動するベースアセンブリと、
該ベースアセンブリを舵取り盤アセンブリに架設する支持フレームアセンブリと、
舵取り盤の回転機構の支持固定と本体を卓上或いは支持体に架設する舵取り盤台座アセンブリと、
を包含し、携帯型ゲーム機が着脱自在にベースアセンブリ内に取り付けられ、機械制御方式の線伝動機構の作用を利用し、使用者がコントローラー上の舵取り盤を操作することで間接的に携帯型ゲーム機の各種機能を制御できることを特徴とする、携帯型ゲーム機のコントローラーとしている。
請求項２の考案は、請求項１記載の携帯型ゲーム機のコントローラーにおいて、機械制御方式の線伝動機構が舵取り盤アセンブリとベースアセンブリの間に設置され、各梃子機構で牽引する各伝動線セットを具え、舵取り盤アセンブリの各機能が携帯型ゲーム機の各機能キーに対応させられたことを特徴とする、携帯型ゲーム機のコントローラーとしている。
請求項３の考案は、請求項２記載の携帯型ゲーム機のコントローラーにおいて、機械制御方式の線伝動機構は歯車伝動機構或いはカム伝動機構或いは斜面、或いは梃子或いは気圧力、液圧力を利用した伝動機構に交換可能であることを特徴とする、携帯型ゲーム機のコントローラーとしている。
請求項４の考案は、請求項１記載の携帯型ゲーム機のコントローラーにおいて、舵取り盤アセンブリが舵取り盤本体機構、機能キー機構、線伝動機構、回転機構を包含したことを特徴とする、携帯型ゲーム機のコントローラーとしている。
請求項５の考案は、請求項１記載の携帯型ゲーム機のコントローラーにおいて、ベースアセンブリが更にディスプレイカバー、カバー開閉機構及び収容ケース機構を具え、且つディスプレイカバーが中空表面を具えて携帯型ゲーム機のディスプレイを直視できるものとされたことを特徴とする、携帯型ゲーム機のコントローラーとしている。
請求項６の考案は、請求項１記載の携帯型ゲーム機のコントローラーにおいて、舵取り盤台座アセンブリは台座ケース、回転機構支持体、台座固定機構を具え、台座固定機構がゴム吸盤と調整式開口クランプを並行使用し、異なる厚さの物品と自由に噛み合い、強固な固定を達成することを特徴とする、携帯型ゲーム機のコントローラーとしている。
【考案の効果】
【０００６】
本考案の携帯型ゲーム機のコントローラーは、舵取り盤アセンブリ、ベースアセンブリ、支持アセンブリ、及び舵取り盤台座アセンブリが結合されてなり、特にベースアセンブリの収容ケース内に携帯型ゲーム機が収容され、これにより携帯型ゲーム機挿入後にコントローラーと一体に結合され、使用者がコントローラーにより舵取り盤を回すか機能キー操作を行う時に、携帯型ゲーム機の機能キーが駆動されて間接的に携帯型ゲーム機を制御する目的を達成する。
【考案を実施するための最良の形態】
【０００７】
本考案は機械制御の線伝動方式を基礎として一種の携帯型ゲーム機のコントローラーを提供し、図１に示されるように、該コントローラー１は、少なくとも、舵取り盤アセンブリ１０、ベースアセンブリ２０、支持フレームアセンブリ３０、舵取り盤台座アセンブリ４０を包含する。
【０００８】
舵取り盤アセンブリ１０は、舵取り盤回転制御主体を具えた組合せ機構であり、舵取り盤本体機構１１、機能キー機構１２、線伝動機構１３（図示せず）、回転機構１４を包含し、舵取り盤本体機構１１は本実施例では飛行機の舵取り盤形式とされ、即ちＵ型舵取り盤形式で表現され（通常、レースカーは円形の舵取り盤で表示される）、機能キー機構１２は複数の機能キーを具え且つ舵取り盤本体機構１１表面の所定位置に配置されて、使用者の手部の順調な操作を提供し、線伝動機構１３は、携帯型ゲーム機５の各機能キーを舵取り盤本体機構１１上の機能キー機構１２に対応させ、並びに梃子機構により各伝動線セットを牽引し（伝動導線理論を運用し、フレキシブルな管状物をフレキシブル管レールなし、管内の伝動スチール線を牽引し、携帯型ゲーム機の連動梃子に差動伝導して無障害の空間伝動を達成する）、且つ組合せ後に回転機構１４の軸心が携帯型ゲーム機５のベースアセンブリ２０に結合され、回転機構１４は回転軸心機構、回転角度ストッパ機構、角度作動機構を具え、そのうち、角度作動機構が設計上、歯車比伝動セット或いは定角度カム差動セット、或いは回転角度差動プーリ等の機構方式により設計され、本実施例では線伝動を設計の核心となし、ゆえに線伝動プーリ差動設計とされ、また回転軸心機構中の中空プラスチック軸管が延伸され並びに舵取り盤台座アセンブリ４０上に架設され、回転角度ストッパ機構は舵取り盤本体機構１１に有効回転角度制限機能を提供する。
【０００９】
上記舵取り盤本体機構１１は、左右６０度を有効回転角度として採用し、角度作動機構は回転機構１４と回転機構支持体間の弾性装置を利用して回転時に上下落差を発生し、伝動スチール線の端部とフレキシブル管状物が弾性装置上方の固定片に固定され、並びに伝動スチール線が固定片下方の弾性装置に巻かれ、回転時の上下落差によりプーリに類似の差動を発生して伝動スチール線を牽引する（弾性装置下方に角度制限ストッパが取り付けられて落差制限する）。
【００１０】
ベースアセンブリ２０は、携帯型ゲーム機５の放置エリアを提供し、携帯型ゲーム機５の機能キーに最終的な伝動を行い、それは、ディスプレイカバー２１、カバー開閉機構２２、収容ケース機構２３を包含する。ディスプレイカバー２１は透明材料で形成されて、携帯型ゲーム機５のディスプレイを直視できるものとされ、該ディスプレイカバー２１は本実施例では上平面嵌め込み式及びフレーム嵌入式のものがある。カバー開閉機構２２は携帯型ゲーム機５を取り付け後にディスプレイカバーを封じるのに供され、留め具或いはヒンジ方式が採用される。収容ケース機構２３は携帯型ゲーム機５の台座とされ、並びに周辺に仲介梃子セット（終端伝動導線とＰＳＰ梃子の結合）が設置され、設計上、携帯型ゲーム機５の放置と外表面保護、出し入れの動作動線、及び連動空間運動仲介に重きが置かれる。
【００１１】
支持フレームアセンブリ３０は、前述の携帯型ゲーム機５のベースアセンブリ２０を舵取り盤アセンブリ１０に架設するための支持機構であり、本実施例では固定されて分離不能な方式で、支持フレーム３１と後ろ装飾カバー機構３２の二つの部分を具えている（分離可能とするならバス方式を採用する）。そのうち、支持フレーム３１は携帯型ゲーム機５の携帯型ゲーム機５のベースアセンブリ２０を舵取り盤アセンブリ１０に架設するための支持機構とされ、応力強度を考慮して鉄板で形成され、強度を高め、また錘の機能を有する。後ろ装飾カバー機構３２は、線伝動機構１３を遮蔽する（着脱式とされる場合はバス伝動機構とされるか、マグネットバルブ導線、伝動梃子、伝動歯車セットとされる）。
【００１２】
舵取り盤台座アセンブリ４０は、舵取り盤の回転機構１４の支持固定と本体を卓上或いは支持体上に架設するのに用いられ、台座ケース４１、回転機構支持体４２、台座固定機構４３の三つの部分を包含し、そのうち、台座ケース４１は全体の舵取り盤台座アセンブリ４０の外観装飾を行うケースカバーであり、回転機構支持体４２は舵取り盤の回転機構１４をベース上の支持機構に架設するのに供され、舵取り盤回転機構を支持し、バネの作用、回転角度制限、牽引線による携帯型ゲーム機５の左右方向キーの駆動を行える設計とされる。台座固定機構４３は本実施例でゴム吸盤と調整式開口クランプが並行使用され、使用者の実際の必要に応じて組み合わせて運用される。
【００１３】
使用者は携帯型ゲーム機５を携帯し、家でコントローラー１内に取り付けてゲームを行えるほか、車中で使用できる。コントローラー１に上下に開閉できるベースアセンブリ２０が採用され、ゆえにカバー開閉機構２２を操作した後に携帯型ゲーム機５を収容ケース機構２３内に置き入れ、カバーを閉じた後に係止し更にネジを締めて簡単に図２のように固定することができる。
【００１４】
本考案の実施例のコントローラー１の舵取り盤本体機構１１は、左右回転を従来の手指による垂直な上下押圧動作の代わりに採用し、この機械動作の変換は線伝動機構により完成され、並びに舵取り盤をが設定範囲内でどのような角度に回転しても携帯型ゲーム機５の機能キーを牽引、押圧できる。舵取り盤を左に回転させる時、伝動機構が発生する力が携帯型ゲーム機上の左回転のボタンを駆動し、反対に、コントローラーの右回転時には、伝動機構の発生する力が携帯型ゲーム機上の右回転のボタンを駆動する。同様に制御装置がロックされる時、伝動機構が発生する力は携帯型ゲーム機のアクセル機能のボタンを制御し、制御装置ロック時に、伝動機能の発生する力は携帯型ゲーム機のブレーキ機能のボタンを押圧しうる。
【００１５】
このほか、本考案は電源免除の軟性機械伝動方式を採用し、固定方向を有する左右回転は動作が明確であるため、舵取り盤の左回転時に携帯型ゲーム機上の左回転ボタンが必ず牽引され押圧される。同様に、舵取り盤の右回転時に携帯型ゲーム機上の右回転ボタンが必ず牽引され押圧される。斜面、梃子、方向変換ヘッド等機械装置により運動エネルギーが線伝動機構に与えられることで、水平回転方式から垂直牽引ボタン押圧の作業への変換が達成される。区定方向のない左右の方向支持ランプの点滅、アクセルの加減、ブレーキの踏みこみ、開放、バックミラーの開閉等のボタンには電源不要の機械伝動と軟性の線伝動を交互に組み合わせて、これにより携帯型ゲーム機５制御の目的を達成する。
【００１６】
携帯型ゲーム機５の本体の電源は充電保存式とされ、電力が有限であり、もしコントローラー１を加えると電力消耗が加速されてゲーム時間が短縮され、また商用電源或いは蓄電装置を組み合わせると、携帯の機動性が失われる。ゆえに、本考案は電源不要の設計方式を採用し、この特徴は本考案独自のものである。
【図面の簡単な説明】
【００１７】
【図１】本考案の実施例の分解図である。
【図２】本考案の実施例の外観図である。
【符号の説明】
【００１８】
１  コントローラー          １０  舵取り盤アセンブリ
１１  舵取り盤本体機構      １２  機能キー機構
１３  線伝動機構            １４  回転機構
２０  ベースアセンブリ      ２１  ディスプレイカバー
２２  カバー開閉機構        ２３  収容ケース機構
３０  支持フレームアセンブリ    ３１  支持フレーム
３２  後ろ装飾カバー機構        ４０  舵取り盤台座アセンブリ
４１  台座ケース              ４２  回転機構支持体
４３  台座固定機構            ５  携帯型ゲーム機
【図１】
0003113645.tif 000003
【図２】
0003113645.tif 000004